(57)【要約】【課題】冷凍庫で氷枕を速やかに冷やすことができ、さらに使用時にはほどよい冷たさが頭部に伝わる心地よい氷枕を提供する。【解決手段】シート状又は板状の断熱性部材１と、該断熱性部材１の上に重ね置きされ、凍結型組成物２ａが袋２ｂ内に分割封入されてなる保冷袋２と、該保冷袋２の上に積み重ねられ、袋３ｂ内に不凍型組成物３ａが収納されてなる不凍袋３と、これら断熱シート１と保冷袋２と不凍袋３とを重ね合わせて一体収納する外袋４と、を具備して枕状にした氷枕において、前記凍結型組成物２ａに過冷却解除剤５が配合され、且つ前記断熱性部材１に複数の透孔１１が形成されてなる。【選択図】　図１
2004097491.tif 000002
【特許請求の範囲】
【請求項１】
シート状又は板状の断熱性部材（１）と、該断熱性部材の上に重ね置きされ、凍結型組成物が袋内に分割封入されてなる保冷袋（２）と、該保冷袋の上に積み重ねられ、袋内に不凍型組成物が収納されてなる不凍袋（３）と、これら断熱シートと保冷袋と不凍袋とを重ね合わせて一体収納する外袋（４）と、を具備して枕状にした氷枕において、
前記凍結型組成物に過冷却解除剤が配合され、且つ前記断熱性部材に複数の開孔が形成されてなることを特徴とする氷枕。
【請求項２】
前記不凍袋の上にさらにエアマットが積み重ねられ、該エアマットが気体を封入した複数個のクッション室に分割され、且つ少なくとも枕中央部において隣り合うクッション室同士を導通させる通孔を設けてなる請求項１記載の氷枕。
【発明の詳細な説明】
【０００１】
【発明の属する技術分野】
本発明は寝苦しい夜に頭部を冷やして涼感を得たり、病気等による発熱時に頭部に当てて熱を取り除いたりするのに用いられる氷枕に関する。
【０００２】
【従来の技術】
現在では水を主成分とした内容液を樹脂製袋に封入した構造の氷枕が市場の主流になっている。内容物を水だけにし、冷凍庫で凍結させてから使用すると、氷の融解熱（潜熱）が利用できるため、比較的長時間保冷効果を持続できる。しかし、このような凍結型の氷枕では使用時に氷枕が硬く凍っているためにゴツゴツして使用感が悪く不安定となり、また頭が氷枕からズレ落ちたりして非常に不便であった。そのため、多くの氷枕では、水に電解質，塩類，多価アルコールなどを混入して不凍化した液を内容液として使ってきた。このような不凍型の氷枕は、頭を乗せたときに自由に変形し、よくフィットするため非常に使い易い。その−方で不凍型の氷枕では凍結が起こらないために融解熱が利用できず、保冷時間が著しく短くなるという欠点があった。
こうしたことから冷却作用が長時間働き、また頭部へのフィット性を良くするなどした氷枕の発明技術が提案されてきた（例えば、特許文献１，２参照。）。
【０００３】
【特許文献１】
特開平６−１２５９３３号公報（第２−５頁，第１図）
【特許文献２】
特開平８−３２５５６３号公報（第２頁）
【０００４】
本出願人も図９のように、断熱性部材９１に凍結型組成物９３ａが袋内に分割封入された保冷袋９３と、不凍型組成物９２ａが収納された不凍袋９２とを重ね合わせて外袋９４に一体収納した氷枕を製造し、断熱性部材９１を敷くことによって下側から冷熱が逃げるのを防ぎ、また冷やされても柔軟性を有する不凍袋９２が頭部に接するようにして冷却効果に優れ且つ頭部へのフィット性も極めて良好な氷枕を提供してきた。
【０００５】
【発明が解決しようとする課題】
しかしながら、図９の氷枕は、冷却能力とフィット性に優れているものの次の２点で問題があった。第１に冷却に時間がかかる点である。氷枕は使用に先立ち冷凍庫に入れて冷却されるが、図９の氷枕では保冷袋９３が完全に凍結することが十分な性能を発揮する目安となる。ところが、保冷袋９３は不凍袋９２と断熱性部材９１に挟まれているため、温度が下がるのに時間がかかるうえ、例えば内容液が水であったとしても過冷却現象により、−５〜−１０℃以下にならないと凍結が速やかに開始されないので、更に冷却に時間を要した。
急な発熱などで氷枕を使うときなどは、出来るだけ短時間で凍結することが好ましいが、図９の氷枕では前記理由かち凍結時間が長くなった。
【０００６】
第２の問題は氷枕の温度が低すぎる点である。使用開始時における氷枕の温度は、体温に比べて低く、場合によっては冷凍庫の温度である−２０℃付近まで低下していることがある。このため、使用者側で必要に応じてタオルで氷枕を包んで使うなどの手間がかかるという問題があった。
氷枕は多くの場合、家庭用の冷凍庫（約−２０℃）を利用することを前提としている。従来の氷枕では、氷枕と体温との温度差が大きすぎるため、また、直接頭部に保冷袋が接触するために接触部を冷やしすぎてしまう問題があった。このため、タオルを巻いたりカバーをつけたりして使われるが、この作業は頼雑であり、また適当なタオル等が身近にない場合には、使用者に冷やしすぎによる不快感を与えることが多かった。
【０００７】
本発明は上記問題点を解決するもので、冷凍庫で氷枕を速やかに冷やすことができ、さらに使用時にはほどよい冷たさが頭部に伝わる心地よい氷枕を提供することを目的とする。
【０００８】
【課題を解決するための手段】
上記目的を達成すべく、請求項１の発明の要旨は、シート状又は板状の断熱性部材（１）と、該断熱性部材の上に重ね置きされ、凍結型組成物が袋内に分割封入されてなる保冷袋（２）と、該保冷袋の上に積み重ねられ、袋内に不凍型組成物が収納されてなる不凍袋（３）と、これら断熱シートと保冷袋と不凍袋とを重ね合わせて一体収納する外袋（４）と、を具備して枕状にした氷枕において、前記凍結型組成物に過冷却解除剤が配合され、且つ前記断熱性部材に複数の開孔が形成されてなることを特徴とする氷枕にある。
請求項２の発明たる氷枕は、請求項１で、不凍袋の上にさらにエアマットが積み重ねられ、該エアマットが気体を封入した複数個のクッション室に分割され、且つ少なくとも枕中央部において隣り合うクッション室同士を導通させる通孔を設けてなることを特徴とする。
ここでいう「エアマット」は、例えば２枚の樹脂フィルムを重ね合わせ周囲をヒートシールして内部に空気等を封入した空気袋のようなものであり、必要に応じて空気袋の部分をヒートシールでいくつかのクッション室に分割したものである。物品の輸送時に保護材や緩衝材として使われているエアキャップ（通称プチプチ）様のものであっても構わない。勿論、エアマットは内部気体の移動が可能なように、少なくとも枕中央部において隣り合うクッション室同士を導通させる通孔は設けられる。このような通孔は、クッション室を分割するヒートシールを行なうときに一部を融着させないことなどで容易に実施できる。
【０００９】
請求項１の発明のごとく、凍結型組成物に過冷却解除剤が配合されると、過冷却現象による凍結障害を解消し、凍結型組成物を円滑に凍結凝固できるので、氷枕が必要な時により早く使用に供することができる。また断熱性部材に複数の開孔が形成されると、氷枕を冷凍庫で冷やす過程で、冷凍庫の温度が断熱性部材に妨げられずに開孔を通って直接保冷袋に達するので、前記過冷却解除剤の効果と相まって保冷袋を速やかに冷やすことができる。
請求項２の発明のごとく、不凍袋の上にさらにエアマットが積み重ねられると、タオル等を使わなくても気体の層の断熱効果によって、使用時にほどよい冷たさが頭部に伝わる心地よい氷枕にすることができる。さらに該エアマットが気体を封入した複数個のクッション室に分割され、且つ少なくとも枕中央部において隣り合うクッション室同士を導通させる通孔が設けられると、寝返り等で頭部が動くことによってクッション室内の気体の対流が起り、クッション室内の熱移動を促進させる結果、頭との接触面付近での気体の温度を常に低温に保つことができる。そのため、ほどよい冷たさが頭部に伝わる氷枕にすることができる。
【００１０】
【発明の実施の形態】
以下、本発明に係る氷枕について詳述する。図１〜図８は本発明の氷枕の一形態で、図１は実施形態１の氷枕の分解斜視図、図２は図１の断熱性部材，保冷袋，不凍袋の各構成部品を外袋に一体収納した氷枕の縦断面図、図３は実施形態２の氷枕に係るエアマットの平面図、図４は図３のＡ−Ａ線矢視図、図５は図２の不凍袋の上にさらに図３のエアマットを積み重ねて外袋に一体収納した氷枕の縦断面図、図６は図５と別仕様のマットを用いた実施形態３の氷枕の縦断面図、図７は図１の断熱性部材の形状を変えた実施形態４の氷枕の分解斜視図、図８は図２の氷枕に感熱インク印刷部を設けた実施形態５の氷枕の縦断面図である。
【００１１】
（１）実施形態１
氷枕は断熱性部材１と保冷袋２と過冷却解除剤５と不凍袋３と外袋４とを具備する（図１，図２）。断熱性部材１，保冷袋２，不凍袋３を順に積み重ね、これらが外袋４内に一体収納された後、外袋４に封をして枕状の氷枕が出来上がる。
【００１２】
断熱性部材１は可撓性を有するシート状または板状で、断熱性に優れた部材である。ここでは図１のごとく独立気泡を有する発泡ポリエチレン等からなる方形の発泡体シート１ａに同じく方形のアルミ箔１ｂを重ね合わせ貼着一体化したシート状断熱性部材１が用いられる。該断熱性部材１を用いることによって露結防止や断熱効果が期待される。断熱性部材１は２￣４ｍｍ程度の厚みとし、氷枕の平面視大きさにほぼ等しい。
断熱性部材１には発泡体シート１ａ，アルミ箔１ｂを貫通する開孔１１が適宜間隔をあけて複数形成される。開孔１１は例えば０．５￣３ｃｍφの大きさで、開孔１１のピッチ間隔を２￣５ｃｍの千鳥配列で設けられる。氷枕を冷凍庫に入れて冷やすとき、開孔１１の部分では断熱性部材１に遮断されないため、局所的にすばやく温度が下がり、氷核の形成が起こり易い。
【００１３】
保冷袋２は透明樹脂フィルム袋２ｂの小袋内に凍結型組成物２ａが分割封入された袋体で、融解潜熱による保冷，蓄冷機能を発揮する。保冷袋２は前記断熱性部材１の第１積層部となって、断熱性部材１の上に積み重ねられる。
ここでの保冷袋２は、一対の帯状フィルムを重合し周囲を熱融着２１等によりシールすることにより、長手方向に定間隔をおいて複数（ここでは１０個）の密封小空間２２の小袋２ｃを設け、各小袋２ｃ内に凍結型組成物２ａが分割封入される形態になっている。各小袋２ｃに分け凍結型組成物２ａを分割封入するのは、シール部分の屈曲により、凍結時において屈曲性を付与するためである。この屈曲性により、保冷袋２が変形状態で凍ったりまた積極的に折り曲げたりして場所を取らぬよう冷凍庫に入れた場合でも、使用に際して氷枕を所望形状に修正できる。
【００１４】
凍結型組成物２ａは常温で液体又は液状で、且つ−１５℃〜０℃の範囲に融点を有する溶液又は液状体である。冷凍庫で凍結状態になった凍結型組成物２ａの解凍時の融解潜熱を氷枕の保冷，蓄冷機能に利用する。保冷，蓄冷には水及び氷の顕熱も利用されるが、氷の融解潜熱（約８０ｃａｌ／ｇ）を利用するかしないかの差は極めて大きい。古来、氷が優れた冷却剤として使われてきたのはこのためである。具体的な凍結型組成物２ａとしては、水に例えば植物系多糖類，カルボキシメチルセルロースナトリウム，合成ケイ酸ナトリウム・マグネシウム，ポリアクリル酸ナトリウム等の増粘剤や、吸水性樹脂等が適宜加えられたゾル状又はゲル状の透明の液状体である。本実施形態の凍結型組成物２ａは透明の液状体とする。
【００１５】
過冷却解除剤５は前記凍結型組成物２ａの過冷却現象を改善するために凍結型組成物２ａに微量配合される。過冷却解除剤５には例えばヨウ化銀等の氷核形成物質の微粉末がある。保冷袋２を冷凍庫で冷やす際、これらの微粉末が氷核となって、凍結型組成物２ａの過冷却温度を抑制すると考えられる。
氷枕を使用する場合、使用に先立ち冷凍庫に入れて凍結型組成物２ａが凍結するまで冷凍するが、過冷却現象により凍結しなかったり、凍結に時間がかかり凍結開始前に取り出したりする場合がある。凍結型組成物２ａに過冷却解除剤５を配合して各小袋２ｃに密閉収納された保冷袋２は、冷凍庫内で過冷却現象を抑制し円滑に凝固させることができ、氷枕を早い時間で使用可能にする。
【００１６】
不凍袋３は、透明袋３ｂに透過性の不凍型組成物３ａが収納され、保冷機能を有してフィット性を良好にする袋体である。不凍袋３は、その平面視外形が前記断熱性部材１，保冷袋２の平面視外形とほぼ同じにして保冷袋２の上に積み重ねられ、氷枕の第２積層部になる。不凍袋３は三方シールで袋状になった樹脂フィルム製の透明袋内３２に不凍型組成物３ａを所定量注入し、不凍袋３にある程度の厚みをもたせた後、該透明袋３ｂを封止する。符号３１は透明袋３ｂのシール部分を示す。氷枕が冷やされ、保冷袋２の凍結型組成物２ａが凍結しても、不凍型組成物３ａは凍ることなく不凍袋３は柔軟性を維持し変形対応できる。
【００１７】
不凍型組成物３ａは常温で液体又は液状で、且つ一般家庭用冷凍庫の冷凍温度（約−２０℃）でも凍結しない不凍結タイプの溶液又は液状体である。具体的な不凍型組成物３ａとしては、水に例えばエチレングリコール等の凝固点降下剤を加え、さらに適宜、ポリビニルアルコール，カルボキシメチルセルロース等の増粘剤等が加えられたゾル状又はゲル状の液状体とする。不凍型組成物３ａが凍らないことから、透明袋に不凍型組成物３ａが密閉収納された不凍袋３は、冷凍庫から取り出した段階でも柔軟性を有して頭部へのフィット性を良好にし、さらに不凍袋３の容量が大で且つ水の比熱が大きいことから熱容量も大きくなって保冷剤としても機能する。なお、本実施形態の不凍型組成物３ａは透明でであるが、色素を添加し着色することも可能である。
【００１８】
外袋４は前記断熱シートと保冷袋２と不凍袋３とを重ね合わせて一体収納できる袋体である。本実施形態は断熱性部材１側が不透明フィルム４ｂ２で、不凍袋３側が透明フィルム４ｂ１の三方シールされた袋体の外袋４とする。符号４１はシール部を示す。ここではアルミ箔１ｂを下側に発泡体シート１ａを上側にした断熱性部材１に、保冷袋２，不凍袋３を積み重ね、これらを外袋４の開口部４２から収容部４３内に収めた後、密封し枕状の所望の氷枕とする（図２）。
なお、図示を省略するが、氷枕はこれに被着し得る布製カバーを適宜セットして商品化される。
【００１９】
このように構成した氷枕は、冷凍庫で冷やされ凍結した保冷袋２と不凍結の不凍袋３がもつ低熱源（すなわち保冷袋２の潜熱と顕熱、不凍袋３の顕熱）の温度上昇に伴うエンタルピー変化で頭部等の高熱源から熱を取り除く。断熱性部材１に保冷袋２と不凍袋３を積み上げ、これらを外袋４で覆着し枕形状とするので、蒲団側は断熱性部材１に遮断されて氷枕の冷気が逃げ難く、頭部が当たる側の不凍袋３の方へ氷枕の蓄冷した冷気が有効に伝わり、熱さまし効果に威力を発揮する。また、たとえ保冷袋２が凍結してゴツゴツした状態になっても、頭部の当たる側の不凍袋３が凍らず、使用に際して柔軟性を保つので頭部へのフィット性が良好となる。保冷，蓄冷の主力を保冷袋２に依存させながら、断熱性部材１を設けてその保冷，蓄冷の冷やす能力を頭部へ効果的に伝え、さらに不凍袋３を配することにより枕として必要な柔軟性，心地よさを実現する。
氷枕を見た時の形態についても、外袋４の上面側フィルム４ｂ１，不凍袋３，保冷袋２は透明，透過性としているので、スケルトン型の特性をもっており、製品に趣があり美観的にも優れる。
そして、断熱性部材１には複数の開孔１１が形成されるので、冷凍庫で氷枕を冷やす過程で、開孔１１の箇所では冷気が断熱性部材１に遮断されることなく直接保冷袋２に達し冷却速度を速めることとなる。加えて、凍結型組成物２ａに過冷却解除剤５が配合されているので、過冷却現象が起こり難く、冷凍庫で冷やされたときに速やかに凍結し従来品よりいち早く使用に供することができ便利になる。
【００２０】
（２）実施形態２
本実施形態は図３〜図５のごとくで、実施形態１の不凍袋３の上に、透明袋６ｂに所定厚みの気体６ａが封入されたエアマット６がさらに積み重ねられて外袋４に一体収納された氷袋である。符号６１はエアマットのシール部を示す。実施形態１の断熱性部材１，保冷袋２，不凍袋３を順に積み重ね、さらに該エアマット６をその上に積み重ね、これらが外袋４内に一体収納された後、外袋４に封をして氷枕になる。エアマット６に封入される気体６ａは空気とするが、これに代え炭酸ガス，窒素等とすることができる。
【００２１】
エアマット６は複数個の気体６ａを封入したクッション室６２に分割され、且つ少なくとも枕中央部で隣り合うクッション室６２同士の気体６ａを導通させる通孔６３が設けられている。ここでは図３のごとくエアマット６を６つのクッション室６２に区分し、両サイドの２つを完全密封し別個独立したクッション室６２とする。両サイドのクッション室６２は密封されているため寝返り等をうってもさほど変形せず、頭部を氷枕からズレ落ち難くし頭部を安定保持する。一方、中央部の４つのクッション室６２はそれぞれ隣りのクッション室６２と気体６ａが行き来できる通孔６３が設けられる。空気等の気体６ａは固体，液体に比べ熱伝導度が小さく、気体６ａが動かぬ状態のエアマット６は厚みを薄くしても断熱効果が上がりすぎるきらいがある。通孔６３を設けることによって、寝返りなどで頭部を動かしたときに通孔６３を通して例えば図３の矢印方向に気体６ａを動かし気体６ａの対流を起こさせる。気体６ａの対流が起きればエアマット６内の熱抵抗が弱まり、不凍袋３の低熱源側が頭部の高熱源側から適度に熱を奪えるようになる。
他の構成は実施形態１と同様でその説明を省く。実施形態１と同一符号は同一又は相当部分を示す。
【００２２】
このように構成した氷枕は実施形態１の効果に加え、氷枕としての働きがより持続的，効率的になり且つ適度な低温度で頭部等に接して熱をさます効果がある。例えば、氷枕に頭部等を載せ熱とり枕として使用する際、不凍袋３の時としてひんやりし過ぎる冷たさが外袋４を通じて伝わることがある。こうした場合、従来は氷枕にタオル等を巻いて使用する対策がとられてきた。本実施形態は、気体６ａを封入し断熱効果のある所定厚みのエアマット６を採用して、頭部に伝わっていた従来のともすれば氷枕の冷たすぎる温度感触を和らげる。且つエアマット６のもつクッション性，柔軟性で氷枕の使用時の快適性を一層高める。さらに、このエアマット６の断熱効果により、冷熱源の氷枕は冷気が徐々に奪われることになり氷枕の保冷時間の向上を図る。
【００２３】
（３）実施形態３
本実施形態は図６のごとく、実施形態２のマット６内に気体６ａに代え、０．５ｍｍφ〜５ｍｍφの発泡スチロール粒子６ｃを充填した氷枕である。粒子６ｃが充填されることによりクッション性，フィット性を高める。そして、マット６が一定の熱遮断効果を発揮し、頭部が氷枕に接する箇所の温度を和らげる。マット６の袋は樹脂フィルム製でもよいが、感触等を良くするため布製とする。充填される内容物が前記気体６ａと違って粒子６ｃを充填するので気密性を要しないからである。ここでは図６のような複数のクッション室６２を形成せず、一つの大きな袋に粒子６ｃを充填，収納する。
前記粒子６ｃはマイクロ発泡スチロールビーズとも呼ばれるが、ゴム、アクリル等の他の樹脂の粒子でも構わない。前記粒子６ｃに代え例えばセルロース等を原料にするビーズ６ｄ（例えばレンゴー株式会社製の商品名「ビスコパール」）を用いるとより好ましくなる。セルロースビーズ６ｄなので使用後はその部分を可燃ゴミとして処理し易い氷枕になる。他の構成は実施形態２と同様でその説明を省く。
このように構成した氷枕も、実施形態２と同様の効果が得られる。さらに図示を省略するが、頭部と接触する側のマット６に実施形態２又は３のマット６を使用し、蒲団に接する側の断熱性部材１に代えて吸湿性のある素材や吸湿性のあるビーズ６ｄを収納して断熱効果を高めた断熱性部材１を採用することができる。露結等による断熱効果の低下防止や蒲団等の濡れ防止に役立ちより好ましくなる。
【００２４】
（４）実施形態４
本実施形態は、実施形態１の断熱性部材１を図７のごとく袋状にしたものである。断熱性部材１の袋状になった袋内に保冷袋２，不凍袋３を収納し、さらにこれらを外袋４に収納して氷枕とする。断熱性部材１の発泡体シート１ａが既述の発泡ポリエチレン等の熱可塑性樹脂の発泡体であれば、アルミ箔１ｂ側を外側にして断熱性部材１を半分に折り曲げ、断熱性部材１の周囲を熱融着１３等で図示のごとく三方シールし簡単に袋状にできる。
断熱性部材１の上面側には下面側の開孔１１と同じように発泡体シート１ａ，アルミ箔１ｂを貫通する小孔１２が適宜間隔をあけて複数形成される。小孔１２の大きさや小孔１２のピッチ間隔は開孔１１の仕様と切り離して独立設定される。例えば小孔１２と開孔１１の大きさはほぼ同一にしながら小孔１２の数を開孔１１よりも増やして、頭部に伝わっていた従来の時として冷たすぎる温度感触を和らげ、さらに上面側断熱性部材１の断熱効果により冷熱源の氷枕の冷気が徐々に奪われるようにして氷枕を長く使える状態とする。前記マット６と同様の役目を果たす。さらに発泡体シート１ａの厚みも小孔１２のある上面側と開孔１１のある下面側とは区分けし、例えば上面側を下面側より薄く設定し、断熱性部材１の下面側の断熱機能、上面側の温度調整機能や氷枕の熱さまし維持機能の目的，作用効果をより明確化する。他の構成は実施形態１と同様でその説明を省く。
【００２５】
このように構成した氷袋は実施形態１の効果に加え、実施形態２，３のマット６がなくても実施形態２，３と同じような効果が得られる。断熱性部材１の袋状になった袋内に保冷袋２，不凍袋３を収納するだけで、断熱性部材１の上面側部分がマット６の役割を果たす。小孔１２の大きさ，小孔１２のピッチ配列、さらに上面側発泡体シート１ａの厚みを調整設定することにより、袋状になった断熱性部材１の上面側がマット６と同じ機能を発揮できるようになる。マット６のない単純構成にして、頭部に伝わっていた従来の氷枕の時に冷すぎた温度感触を適度に和らげ、さらに冷熱源の氷枕は冷気が徐々に奪われることになって氷枕を長く使える状態とする。
と同時に、断熱性部材１の袋内に保冷袋２，不凍袋３を収納しひとまとめにした後、これを外袋４に収納し氷枕とするので、作業性向上が図られ生産性向上に貢献する。外袋４内に断熱性部材１，保冷袋２，不凍袋３を収納するのに手間取っていた従来品に比べ、作業は大幅に改善される。加えて、従来、軟らかくて把持し難い保冷袋２，不凍袋３を断熱性部材１と一緒に外袋４内へ収納する機械化は困難を極めていたが、保冷袋２，不凍袋３を断熱性部材１の袋内に収納した一体品は断熱性部材１に覆われる格好になるので、保形性に富みロボット等で把持し易く、自動化も可能になり、一層の低コスト化を実現できる。
【００２６】
（５）実施形態５
本実施形態は図８のごとく、実施形態１の氷枕を構成する不凍袋３の透明袋や保冷袋２の透明袋、さらに外袋４の上面側透明フィルムに感熱インクで文字やデザインの印刷部７を設けた氷枕である。不凍袋３，保冷袋２，外袋４に設けた印刷部７は平面視で重なり合う。不凍袋３，保冷袋２，外袋４の各面に一色ずつ変色温度の異なる透過色を用いる。重なり合った部分は３色の表示が可能であり、印刷部７の重なりを利用して氷枕の温度状態を視認できるようにする。既述のごとく外袋４の上面側フィルム，不凍袋３，保冷袋２は透明，透過性としているので、印刷部７の温度表示の邪魔をしない。
このように構成した氷枕は実施形態１の効果に加え、氷枕の使用者は印刷部７の示す色によってたやすく氷枕の温度状態を知ることができ、使い勝手が一層優れたものになる。
【００２７】
尚、本発明においては、前記実施形態に示すものに限られず、目的，用途に応じて本発明の範囲で種々変更した実施形態とすることができる。断熱性部材１，保冷袋２，不凍袋３，外袋４，過冷却解除剤５，マット６，粒子６ｃ，ビーズ６ｄ等の形状，大きさ，材料等は用途に合わせて適宜選択できる。
【００２８】
【発明の効果】
以上ごとく、本発明の氷枕は、凍結型組成物への過冷却解除剤の配合や開孔の形成によって冷凍庫で氷枕を速やかに冷やすことができ、さらにエアマット等を設けることによって使用時に快適で心地よい冷たさを頭部に伝えることができるなど優れた効果を発揮する。
【図面の簡単な説明】
【図１】実施形態１の氷枕の分解斜視図である。
【図２】図１の断熱性部材，保冷袋，不凍袋の各構成部品を外袋に一体収納した氷枕の縦断面図である。
【図３】実施形態２の氷枕に係るマットの平面図である。
【図４】図３のＡ−Ａ線矢視図である。
【図５】図２の不凍袋の上にさらに図３のマットを積み重ねて外袋に一体収納した氷枕の縦断面図である。
【図６】図５と別仕様のマットを用いた実施形態３の氷枕の縦断面図である。
【図７】図１の断熱性部材の形状を変えた実施形態４の氷枕の分解斜視図である。
【図８】図２の氷枕に感熱インク印刷部を設けた実施形態５の氷枕の縦断面図である。
【図９】従来技術の説明図である。
【符号の説明】
１　　　　　断熱性部材
１１　　　　開孔
２　　　　　保冷袋
２ａ　　　　凍結型組成物
２ｂ　　　　袋
３　　　　　不凍袋
３ａ　　　　不凍型組成物
３ｂ　　　　袋
４　　　　　外袋
５　　　　　過冷却解除剤
６　　　　　マット（エアマット）
６ａ　　　　気体
６ｂ　　　　透明袋
６２　　　　クッション室
６３　　　　通孔
【図１】
2004097491.tif 000003
【図２】
2004097491.tif 000004
【図３】
2004097491.tif 000005
【図４】
2004097491.tif 000006
【図５】
2004097491.tif 000007
【図６】
2004097491.tif 000008
【図７】
2004097491.tif 000009
【図８】
2004097491.tif 000010
【図９】
2004097491.tif 000011